(57)【要約】【課題】低コストで運営でき保管場所に出向かなくても在庫状態を確認できる無線在庫管理システムを提供する。【解決手段】第１保管空間３０Ａを通信エリアとする無線通信機３１Ａと、第２保管空間３０Ｂを通信エリアとする無線通信機３１Ｂと、保管空間３０Ａ，３０Ｂに保管される格納容器１０ａ〜１０ｆと、格納容器１０ａ〜１０ｆの個々に付設され格納容器１０ａ〜１０ｆに格納された物品２０に関する物品情報を記憶し物品情報を無線通信機３１Ａ，３１Ｂへ送信しうる無線タグ１１ａ〜１１ｆと、無線通信機３１Ａ及び３１Ｂと通信して物品情報を収集し物品２０と格納容器１０ａ〜１０ｆと保管空間３０Ａ〜３０Ｂを対応付けて管理する情報処理装置４１及びデータベース４２とを具備する。【効果】物品に無線タグを付設できない場合でも好適に在庫管理を行うことが出来る。【選択図】図１
2005082324.tif 000002
【特許請求の範囲】
【請求項１】
複数の保管空間にそれぞれ設置され該保管空間を無線通信エリアとする複数台の無線通信機と、物品を格納して前記保管空間のいずれかに保管される複数の格納容器と、前記複数の格納容器の個々に付設され該格納容器に格納された物品に関する物品情報を記憶し該物品情報を前記無線通信機へ無線送信しうる無線タグと、前記複数の無線通信機と通信して前記物品情報を収集し物品と格納容器と保管空間を対応付けて管理する情報処理装置とを具備したことを特徴とする無線在庫管理システム。
【請求項２】
請求項１に記載の無線在庫管理システムにおいて、前記無線タグは、記憶している物品情報を前記無線通信機へ定期的に無線送信することを特徴とする無線在庫管理システム。
【請求項３】
請求項１または請求項２に記載の無線在庫管理システムにおいて、前記無線通信機は、前記情報処理装置からの指示により受信感度を変更する受信感度変更手段を有することを特徴とする無線在庫管理システム。
【請求項４】
請求項１から請求項３のいずれかに記載の無線在庫管理システムにおいて、前記無線通信機は、前記無線タグから物品情報を受信した時刻を前記情報処理装置へ送信することを特徴とする無線在庫管理システム。
【請求項５】
請求項１から請求項４のいずれかに記載の無線在庫管理システムにおいて、物品に付された物品タグに記録されているデータを読み取る物品タグ読取手段と、前記物品を格納する格納容器に付設されている無線タグと通信して前記データを基に前記物品情報を更新する物品情報更新手段とを具備したことを特徴とする無線在庫管理システム。
【請求項６】
請求項５に記載の無線在庫管理システムにおいて、前記物品タグ読取手段と前記物品情報更新手段とを移動ユニットに搭載したことを特徴とする無線在庫管理システム。
【請求項７】
請求項６に記載の無線在庫管理システムにおいて、前記物品を指定する物品指定手段と、前記指定された物品を格納している格納容器が保管されている保管空間を報知する保管空間報知手段とを具備したことを特徴とする無線在庫管理システム。
【請求項８】
請求項６または請求項７に記載の無線在庫管理システムにおいて、前記物品指定手段と前記保管空間報知手段とを移動ユニットに搭載したことを特徴とする無線在庫管理システム。
【請求項９】
請求項１から請求項８に記載の無線在庫管理システムにおいて、前記複数台の無線通信機の代わりに、保管空間にそれぞれ設置され該保管空間を無線通信エリアとする複数基のアンテナと、１台の無線通信機と、前記複数基のアンテナ中の１基を選択的に前記無線通信機に接続するアンテナ切替器とを具備したことを特徴とする無線在庫管理システム。
【発明の詳細な説明】
【技術分野】
【０００１】
本発明は、無線在庫管理システムに関し、さらに詳しくは、低コストで運営でき且つ物品の保管場所に出向かなくても物品の在庫状態を確認できる無線在庫管理システムに関する。
【背景技術】
【０００２】
従来、物品の保管場所にアンテナを設置し、物品に無線タグを付し、アンテナを介して無線通信機が無線タグと通信して物品の在庫状態を管理するようにした「非接触ＩＣタグを用いた在庫管理システム」が知られている（例えば、特許文献１参照。）。
また、商品にバーコードラベルと一緒に無線タグを付設するか、商品には無線タグを付設せずに商品の搬送車に無線タグを設置し、商品の保管場所と売場の間のゲートにアンテナを設置し、ゲートを通過する無線タグとアンテナを介して無線通信機が通信して物品の移動状態を管理するようにした「売場在庫管理システム」が知られている（例えば、特許文献２参照。）。
【特許文献１】特開２００２−１９３４４８号公報
【特許文献２】特開２００３−１２８２１３号公報
【発明の開示】
【発明が解決しようとする課題】
【０００３】
上記「非接触ＩＣタグを用いた在庫管理システム」では、物品にバーコードラベルの代わりに無線タグを付している。しかし、例えば物品を搬出する際、安価なバーコードラベルは物品が安価でも回収する必要がなかったが、比較的高価な無線タグは物品が安価だと回収して再使用する必要があり、運営コストがかかる問題点がある。
【０００４】
上記「売場在庫管理システム」では、商品に無線タグを添付した場合、前記「非接触ＩＣタグを用いた在庫管理システム」と同様に運営コストがかかる問題点がある。
一方、搬送車に無線タグを設置した場合は、回収・再使用の必要がなく、低コストで運営できる。しかし、ある物品が保管場所に存在するか否かは、搬送車の無線タグと通信しても判らないため、保管場所に出向かなければ物品の在庫状態を確認できない問題点がある。
【０００５】
そこで、本発明の目的は、低コストで運営でき且つ物品の保管場所に出向かなくても物品の在庫状態を確認できる無線在庫管理システムを提供することにある。
【課題を解決するための手段】
【０００６】
第１の観点では、本発明は、複数の保管空間にそれぞれ設置され該保管空間を無線通信エリアとする複数台の無線通信機と、物品を格納して前記保管空間のいずれかに保管される複数の格納容器と、前記複数の格納容器の個々に付設され該格納容器に格納された物品に関する物品情報を記憶し該物品情報を前記無線通信機へ無線送信しうる無線タグと、前記複数の無線通信機と通信して前記物品情報を収集し物品と格納容器と保管空間を対応付けて管理する情報処理装置とを具備したことを特徴とする無線在庫管理システムを提供する。
上記第１の観点による無線在庫管理システムでは、物品に無線タグを付するのではなく、物品を格納する格納容器に無線タグを付設するため、例えば物品を搬出する際、無線タグを回収・再使用する必要がなく、低コストで運営できる。さらに、ある物品が保管場所に存在するか否かは、格納容器に付設した無線タグと通信すれば判るため、保管場所に出向かないでも物品の在庫状態を確認できる。
上記構成において、格納容器は、例えば、箱，かご，袋，フレーム，パレット等のいずれでもよい。
【０００７】
第２の観点では、本発明は、上記構成の無線在庫管理システムにおいて、前記無線タグは、記憶している物品情報を前記無線通信機へ定期的に無線送信することを特徴とする無線在庫管理システムを提供する。
上記第２の観点による無線在庫管理システムでは、定期的に在庫状態を確認することが出来る。
【０００８】
第３の観点では、本発明は、上記構成の無線在庫管理システムにおいて、前記無線通信機は、前記情報処理装置からの指示により受信感度を変更する受信感度変更手段を有することを特徴とする無線在庫管理システムを提供する。
上記第３の観点による無線在庫管理システムでは、情報処理装置からの指示により受信感度を変更し、無線通信エリアの拡大／縮小を行うことが出来る。従って、物品の保管空間の拡大／縮小に容易に対応できる。
【０００９】
第４の観点では、本発明は、上記構成の無線在庫管理システムにおいて、前記無線通信機は、前記無線タグから物品情報を受信した時刻を前記情報処理装置へ送信することを特徴とする無線在庫管理システムを提供する。
上記第４の観点による無線在庫管理システムでは、管理している物品情報が何時の時点のものかを確認することが出来る。
【００１０】
第５の観点では、本発明は、上記構成の無線在庫管理システムにおいて、物品に付された物品タグに記録されているデータを読み取る物品タグ読取手段と、前記物品を格納する格納容器に付設されている無線タグと通信して前記データを基に前記物品情報を更新する物品情報更新手段とを具備したことを特徴とする無線在庫管理システムを提供する。
上記第５の観点による無線在庫管理システムでは、物品ごとにバーコードラベルの如き物品タグを付しておき、その物品タグを読み取って物品情報を更新する。これにより、手操作で更新するよりも効率よく且つ誤り無く更新することが出来る。
【００１１】
第６の観点では、本発明は、上記構成の無線在庫管理システムにおいて、前記物品タグ読取手段と前記物品情報更新手段とを移動ユニットに搭載したことを特徴とする無線在庫管理システムを提供する。
上記構成において、移動ユニットとは、台車により移動されたり、携帯により移動されるものである。
上記第６の観点による無線在庫管理システムでは、物品の搬入／搬出／保管場所に移動ユニットを移動することで、現場で物品に付された物品タグを読み取って物品情報を更新することが出来る。
【００１２】
第７の観点では、本発明は、上記構成の無線在庫管理システムにおいて、前記物品を指定する物品指定手段と、前記指定された物品を格納している格納容器が保管されている保管空間を報知する保管空間報知手段とを具備したことを特徴とする無線在庫管理システムを提供する。
上記第７の観点による在庫管理システムでは、所望の物品が保管されている場所を容易に知ることが出来る。
【００１３】
第８の観点では、本発明は、上記構成の無線在庫管理システムにおいて、前記物品指定手段と前記保管空間報知手段とを移動ユニットに搭載したことを特徴とする無線在庫管理システムを提供する。
上記第８の観点による無線在庫管理システムでは、所望の物品が保管されている場所に移動するのに好適になる。
【００１４】
第９の観点では、本発明は、上記構成の無線在庫管理システムにおいて、前記複数台の無線通信機の代わりに、保管空間にそれぞれ設置され該保管空間を無線通信エリアとする複数基のアンテナと、１台の無線通信機と、前記複数基のアンテナ中の１基を選択的に前記無線通信機に接続するアンテナ切替器とを具備したことを特徴とする無線在庫管理システムを提供する。
上記第９の観点による無線在庫管理システムでは、無線通信機が１台で済み、低コストにシステムを構築できる。
【発明の効果】
【００１５】
本発明の無線在庫管理システムによれば、物品に無線タグを付するのではなく、物品を格納する格納容器に無線タグを付設するため、例えば物品を搬出する際、無線タグを回収・再使用する必要がなく、低コストで運営できる。さらに、ある物品が保管場所に存在するか否かは、格納容器に付設した無線タグと通信すれば判るため、保管場所に出向かないでも物品の在庫状態を確認できる。
【発明を実施するための最良の形態】
【００１６】
以下、図に示す実施の形態により本発明をさらに詳細に説明する。なお、これにより本発明が限定されるものではない。
【実施例１】
【００１７】
図１は、実施例１に係る無線在庫管理システム１００を示す構成図である。
この無線在庫管理システム１００は、第１保管空間３０Ａに設置され該保管空間３０Ａを無線通信エリアＥ１とする第１の無線通信機３１Ａ及びアンテナ３２Ａと、第２保管空間３０Ｂに設置され該保管空間３０Ｂを無線通信エリアＥ２とする第２の無線通信機３１Ｂ及びアンテナ３２Ｂと、物品２０を格納して保管空間３０Ａ，３０Ｂのいずれかに保管される複数の格納容器１０ａ〜１０ｆと、複数の格納容器１０ａ〜１０ｆの個々に付設され該格納容器１０ａ〜１０ｆに格納された物品２０に関する物品情報を記憶し該物品情報を無線通信機３１Ａまたは３１Ｂへ無線送信しうる無線タグ１１ａ〜１１ｆと、ネットワーク５０を介して無線通信機３１Ａ及び３１Ｂと通信して物品情報を収集し物品２０と格納容器１０ａ〜１０ｆと保管空間３０Ａ〜３０Ｂを対応付けて管理する情報処理装置４１及びデータベース４２とを具備している。
【００１８】
個々の物品２０には、物品タグ２１が付されている。物品タグ２１は、例えばバーコード・ラベルや，接触式ＩＣタグや，通信距離が例えば１０ｃｍ程度の無線タグである。
なお、図１中のＢ０１〜Ｂ０３は、物品タグ２１の区別を表している。
【００１９】
無線タグ１１ａ〜１１ｆは、いわゆるスマートタグであり、受信した電波から動作電力を抽出する動作電力抽出部と、電波を変復調して送受する送受信部と、情報を書き換え可能に記憶し保持するメモリと、電波によって情報を所定時間毎に送信したり電波によって受信した情報をメモリに書き込んだりする演算部とを備えている。
なお、図１中のＭ０１〜Ｍ０６は、無線タグ１１ａ〜１１ｆの無線タグＩＤを表している。
【００２０】
無線送受信機３１Ａおよび無線送受信機３１Ｂは、情報処理装置４１からの指示により、受信感度を変更する受信感度変更手段をそれぞれ有している。
【００２１】
情報処理装置４１及びデータベース４２は、保管空間３０Ａ〜３０Ｂとは別の入出庫管理室４０に設置されている。
情報処理装置４０は、無線送受信機３１Ａの受信感度を、第１の通信エリアＥ１内にある無線タグ１１ａ〜１１ｃとのみ通信可能なように調整する。また、無線送受信機３１Ｂの受信感度を、第２の通信エリアＥ２内にある無線タグ１１ｄ〜１１ｆとのみ通信可能なように調整する。
【００２２】
図２は、物品タグＢ０１に記録されたデータＤ(B01)の例示図である。
物品タグ２１に記録されたデータは、物品タグ２１が付された物品２０を示す品番と備考の情報を含んでいる。
このデータＤ(B01)は、物品タグＢ０１が付された物品２０が、品番「Ｂ０１」の「セータ」であり、色が「黒」で、「Ｓ社製」であることを示している。
【００２３】
図３は、無線タグＭ０１に記憶された物品情報Ｊ(M01)の例示図である。
物品情報は、無線タグＩＤと、無線タグ１１ａ〜１１ｆが付設された格納容器１０ａ〜１０ｆに収納されている物品２０の品番毎のデータからなる。品番毎のデータは、データ番号と，品番と，数量と，備考と，データ更新日時からなっている。
この物品情報Ｊ(M01)は、無線タグＩＤ「Ｍ０１」の無線タグＭ０１が付設された格納容器１０ａには、品番「Ｂ０１」の物品２０が３個、品番「Ｂ０２」の物品２０が１個、品番「Ｂ０３」の物品２０が２個収納されていることを示している。
【００２４】
図４は、データベース５１の例示図である。
データベース５１は、管理している物品２０の品番と格納容器の組合せ毎のレコードからなる。品番と格納容器の組合せ毎のレコードは、レコード番号と，品番と，格納容器と，数量と，保管空間と，備考と，データ更新日時と，データ受信日時からなっている。
例えばレコード番号「００３」は、品番「Ｂ０３」の物品２０が、無線タグＭ０１が付設された格納容器１０ａに２個収納されていることを示している。また、レコード番号「００４」は、品番「Ｂ０３」の物品２０が、無線タグＭ０２が付設された格納容器１０ｂに１個収納されていることを示している。
【００２５】
図５は、入庫時の操作を示す説明図である。
作業者は、次のように入庫操作を行う。
（１）入庫する物品２０を格納する予定の格納容器１０を台車６０に乗せて用意する。格納容器１０は、新規に用意してもよいし、既存の格納容器１０を保管空間３０Ａ，３０Ｂから持ってきてもよい。
（２）無線タグ用リーダ／ライタ４３で、格納容器１０の無線タグ１１から物品情報を読み取る。この無線タグ用リーダ／ライタ４３は、通信距離が短い無線通信機である。
（３）入庫する物品２０の物品タグ２１のデータを物品タグ用リーダ４４で読み取る。
（４）無線タグ用リーダ／ライタ４３で、格納容器１０の無線タグ１１に物品情報を書き込む（更新する）。
（５）入庫する物品２０を格納容器１０に収納し、台車６０を押して、保管空間３０Ａまたは３０Ｂに搬入し、格納容器１０を保管する。
【００２６】
図６は、入庫時の処理を操作を示すフロー図である。
ステップＰ１では、操作者は、情報処理装置４１に、無線タグ用リーダ／ライタ４３で、格納容器１０の無線タグ１１から物品情報を読み取らせる。
ステップＰ２では、操作者は、情報処理装置４１に、物品タグ用リーダ４４で、入庫する物品２０に付された物品タグ２１からデータを読み取らせる。
【００２７】
ステップＰ３では、情報処理装置４１は、物品情報の無線タグＩＤと物品タグ２１から読み取った品番の組合せがデータベース５１に登録されていないならステップＰ４へ進み、既登録ならステップＰ５へ進む。
【００２８】
ステップＰ４では、情報処理装置４１は、データベース５１にレコードを新規作成する。そして、ステップＰ７へ進む。
【００２９】
ステップＰ５では、情報処理装置４１は、データベース５１より既登録のレコードを取り出す。
ステップＰ６では、情報処理装置４１は、無線タグ１１から読み取った物品情報とデータベース５１より取り出した既登録のレコードとを比較し、内容が合致しておればステップＰ７へ進み、合致しなければステップＰ１６へ進む。
【００３０】
ステップＰ７では、情報処理装置４１は、新規作成したレコードにおける数量を設定するか、又は、既登録のレコードにおける数量を更新する（増加させる）。次いで、無線タグ１１に書き込むべき物品情報を作成する。
ステップＰ８では、操作者は、無線タグ用リーダ／ライタ４３で、格納容器１０の無線タグ１１に物品情報を書き込ませ、次いで物品情報を読み取らせる。
ステップＰ９では、情報処理装置４１は、読み取った物品情報の無線タグＩＤに対応するレコードをデータベース５１より取り出す。
ステップＰ１０では、情報処理装置４１は、無線タグ１１から読み取った物品情報とデータベース５１より取り出したレコードを比較し、内容が合致しておればステップＰ１１へ進み、合致しなければステップＰ１６へ進む。
【００３１】
ステップＰ１１では、操作者は、入庫する物品２０を格納容器１０に格納する。
ステップＰ１２では、操作者は、格納容器１０を保管空間３０Ａまたは３０Ｂに搬入し、保管する。
【００３２】
ステップＰ１３では、情報処理装置４１は、新規作成または更新したレコードにおける格納容器に対応する無線タグと無線通信機３１Ａまたは３１Ｂで通信する。
ステップＰ１４では、情報処理装置４１は、無線通信機３１Ａまたは３１Ｂで通信できたならステップＰ１５へ進み、通信できなかったらステップＰ１６へ進む。
【００３３】
ステップＰ１５では、情報処理装置４１は、無線通信機３１Ａで通信できたら新規作成または更新したレコードにおける保管空間に「第１保管空間：Ａ１」を設定し、無線通信機３１Ｂで通信できたら新規作成または更新したレコードにおける保管空間に「第２保管空間：Ａ２」を設定する。また、データ受信日時を設定する。そして、処理を終了する。
【００３４】
ステップＰ１６では、情報処理装置４１は、何らかの異常があったことを操作者に報知する。そして、処理を終了する。
【００３５】
図７は、出庫時の操作を示す説明図である。
作業者は、次のように出庫操作を行う。
（１）出庫する物品２０を収納した格納容器１０を台車６０に乗せて搬出してくる。
（２）無線タグ用リーダ／ライタ４３で、格納容器１０の無線タグ１１から物品情報を読み取る。
（３）出庫する物品２０を格納容器１０から取り出し、物品タグ２１のデータを物品タグ用リーダ４４で読み取る。
（４）無線タグ用リーダ／ライタ４３で、格納容器１０の無線タグ１１の物品情報を更新する。
（５）台車６０を押して、保管空間３０Ａまたは３０Ｂに搬入し、格納容器１０を保管する。
【００３６】
図８は、出庫時の処理を操作を示すフロー図である。
ステップＱ１では、操作者は、情報処理装置４１に、無線タグ用リーダ／ライタ４３で、格納容器１０の無線タグ１１から物品情報を読み取らせる。
ステップＱ２では、操作者は、出庫する物品２０を格納容器１０から取り出す。
ステップＱ３では、操作者は、情報処理装置４１に、物品タグ用リーダ４４で、出庫する物品２０に付された物品タグ２１からデータを読み取らせる。
【００３７】
ステップＱ４では、情報処理装置４１は、物品情報の無線タグＩＤと物品タグ２１から読み取った品番の組合せがデータベース５１に登録されているならステップＱ５へ進み、登録されていないならステップＱ１６へ進む。
【００３８】
ステップＱ５では、情報処理装置４１は、データベース５１より物品情報の無線タグＩＤと物品タグ２１から読み取った品番の組合せに対応するレコードを取り出す。
ステップＱ６では、情報処理装置４１は、無線タグ１１から読み取った物品情報とデータベース５１より取り出したレコードとを比較し、内容が合致しておればステップＱ７へ進み、合致しなければステップＱ１６へ進む。
【００３９】
ステップＱ７では、情報処理装置４１は、レコードにおける数量を更新する（減少させる）。次いで、無線タグ１１に書き込むべき物品情報を作成する。
ステップＱ８では、操作者は、無線タグ用リーダ／ライタ４３で、格納容器１０の無線タグ１１に物品情報を書き込ませ、次いで物品情報を読み取らせる。
ステップＱ９では、情報処理装置４１は、読み取った物品情報の無線タグＩＤに対応するレコードをデータベース５１より取り出す。
ステップＱ１０では、情報処理装置４１は、無線タグ１１から読み取った物品情報とデータベース５１より取り出したレコードを比較し、内容が合致しておればステップＱ１２へ進み、合致しなければステップＱ１６へ進む。
【００４０】
ステップＱ１２では、操作者は、格納容器１０を保管空間３０Ａまたは３０Ｂに搬入し、保管する。
【００４１】
ステップＱ１３では、情報処理装置４１は、更新したレコードにおける格納容器に対応する無線タグと無線通信機３１Ａまたは３１Ｂで通信する。
ステップＱ１４では、情報処理装置４１は、無線通信機３１Ａまたは３１Ｂで通信できたならステップＱ１５へ進み、通信できなかったらステップＱ１６へ進む。
【００４２】
ステップＱ１５では、情報処理装置４１は、無線通信機３１Ａで通信できたら更新したレコードにおける保管空間に「第１保管空間：Ａ１」を設定し、無線通信機３１Ｂで通信できたら更新したレコードにおける保管空間に「第２保管空間：Ａ２」を設定する。また、データ受信日時を設定する。そして、処理を終了する。
【００４３】
ステップＱ１６では、情報処理装置４１は、何らかの異常があったことを操作者に報知する。そして、処理を終了する。
【００４４】
図９は、情報処理装置４１が実行する在庫管理処理を示すフロー図である。
この在庫管理処理は、定期的に又は操作者の指示に応じて起動される。
【００４５】
ステップＲ１では、一つの無線通信機により、それに対応する保管空間内の一つの格納容器の無線タグと通信して、物品情報を読み出す。また、該無線通信機に対応する保管空間を検出する。
ステップＲ２では、物品情報の無線タグＩＤに対応する全てのレコードをデータベース５１から読み出す。
ステップＲ３では、物品情報とデータベース５１より取り出したレコードとを比較し、内容が合致しておればステップＲ４へ進み、合致しなければステップＲ１０へ進む。
【００４６】
ステップＲ４では、データ受信日時を更新する。
ステップＲ５では、検出した保管空間とレコードの保管空間とが合致しなければステップＲ６へ進み、合致すればステップＲ８へ進む。
【００４７】
ステップＲ６では、保管空間の変更が許可されていなければステップＲ１１へ進み、許可されておればステップＲ７へ進む。
【００４８】
ステップＲ７では、データベース５１のレコードを更新する。すなわち、検出した保管空間を、レコードの保管空間に設定する。
【００４９】
ステップＲ８では、現在選択している無線通信機により、それに対応する保管空間内の全ての格納容器の無線タグと通信するまでステップＲ１〜Ｒ７を繰り返す。
【００５０】
ステップＲ９では、全ての無線通信機についてステップＲ１〜Ｒ８を繰り返す。
【００５１】
ステップＲ１０では、データベース５１の全レコードについてステップＲ２，Ｒ３の確認を行ったかチェックし、行ったなら処理を終了し、未確認のレコードが残っているならステップＲ１１へ進む。
【００５２】
ステップＲ１１では、在庫異常があったことを操作者に報知する。そして、処理を終了する。
【００５３】
図１０は、情報処理装置４１が実行するレコード更新処理を示すフロー図である。
このレコード更新処理は、無線タグ１１ａ〜１１ｆからの定期的送信を無線通信機３１Ａまたは３１Ｂで受信することにより起動される。
【００５４】
ステップＲ１では、無線タグと通信して、物品情報を読み出す。また、受信した無線通信機に対応する保管空間を検出する。
ステップＲ２では、物品情報の無線タグＩＤに対応する全てのレコードをデータベース５１から読み出す。
ステップＲ３では、物品情報とデータベース５１より取り出したレコードとを比較し、内容が合致しておればステップＲ４へ進み、合致しなければステップＲ１０へ進む。
【００５５】
ステップＲ４では、データ受信日時を更新する。
ステップＲ５では、検出した保管空間とレコードの保管空間とが合致しなければステップＲ６へ進み、合致すれば処理を終了する。
【００５６】
ステップＲ６では、保管空間の変更が許可されていなければステップＲ１１へ進み、許可されておればステップＲ７へ進む。
【００５７】
ステップＲ７では、データベース５１のレコードを更新する。すなわち、検出した保管空間を、レコードの保管空間に設定する。そして、処理を終了する。
【００５８】
ステップＲ１１では、在庫異常があったことを操作者に報知する。そして、処理を終了する。
【００５９】
実施例１の無線在庫管理システム１００によれば次の効果が得られる。
（１）物品２０に無線タグを付するのではなく、物品２０を格納する格納容器１０ａ〜１０ｆに無線タグ１１ａ〜１１ｆを付設するため、例えば物品２０を搬出する際、無線タグ１１ａ〜１１ｆを回収・再使用する必要がなく、低コストで運営できる。
（２）ある物品が保管空間３０Ａ，３０Ｂに存在するか否かは、格納容器１０ａ〜１０ｆに付設した無線タグ１１ａ〜１１ｆと通信すれば判るため、保管空間３０Ａ，３０Ｂに出向かないでも物品の在庫状態を確認できる。
（３）物品２０に付した物品タグ２１を物品タグ用リーダ４４で読み取って物品情報を更新するため、手操作で更新するよりも効率よく且つ誤り無く更新することが出来る。
（４）格納容器１０ａ〜１０ｆの保管空間３０Ａ，３０Ｂを変えても、自動的にデータベース５１の保管空間を変更することが出来る。
【実施例２】
【００６０】
実施例２では、図１１に示すように、無線タグ用リーダ／ライタ４３と物品タグ用リーダ４４とキーボード４７と表示装置４８とを接続した無線通信端末４５及びアンテナ４６を台車６０に乗せた移動端末４９を設ける。
【００６１】
入庫時の移動端末４９の動作は次のようになる。
（１）操作者は、入庫したい物品の品番をキーボード４７から入力する。
（２）無線通信端末４５は、情報処理装置４１と無線通信機３１Ａ，３１Ｂを介して無線通信し、キーボード４７から入力された品番に対応するデータベース４２のレコードを要求する。そして、レコードを受け取ったら該レコードを表示装置４８に表示すると共に、該レコードに設定された保管空間を表示装置４８に地図で表示する。一方、レコードが存在しなければ、新規に格納容器を用意すべき旨を表示装置４８に表示する。
（３）操作者は、地図が表示されたら該地図を見ながら保管空間に移動し、入庫したい物品と同じ物品が既に格納されている格納容器を見つけ、台車６０に乗せ、運び出す。一方、新規に格納容器を用意すべき旨が表示装置４８に表示されたら、格納容器を新規に用意する。
【００６２】
出庫時の移動端末４９の動作は次のようになる。
（１）操作者は、出庫したい物品の品番をキーボード４７から入力する。
（２）無線通信端末４５は、情報処理装置４１と無線通信機３１Ａ，３１Ｂを介して無線通信し、キーボード４７から入力された品番に対応するデータベース４２のレコードを受信する。そして、受信したレコードを表示装置４８に表示すると共に、該レコードに設定された保管空間を表示装置４８に地図で表示する。
（３）操作者は、地図を見ながら保管空間に移動し、出庫したい物品を格納した格納容器を見つけ、台車６０に乗せ、搬出する。
【実施例３】
【００６３】
図１２は、実施例３に係る無線在庫管理システム２００を示す構成図である。
この無線在庫管理システム２００は、実施例１に係る在庫管理システム１００と基本的に同じ構成であるが、保管空間３０Ａ，３０Ｂにはアンテナ３２Ａ，３２Ｂのみ設置し、アンテナ３２Ａ，３２Ｂの一つをアンテナ切替器３２により選択的に無線送受信機３１に接続するようにしている。
【００６４】
情報処理装置４１は、ネットワーク５０を介してアンテナ切替器３２を制御し、アンテナ３２Ａ，３２Ｂの一つをサイクリックに選択し、無線タグ１１ａ〜１１ｆと通信する。
【００６５】
実施例３の無線在庫管理システム２００によれば、１台の無線通信機３１で済み、低コストにシステムを構築できる。
【産業上の利用可能性】
【００６６】
本発明の無線在庫管理システムは、例えば物品が非常に小さい場合や，物品が非常に多数である場合や，物品が食品である場合のように、個々の物品に無線タグを付設できない場合でも好適に在庫管理を行うことが出来る。
【図面の簡単な説明】
【００６７】
【図１】実施例１に係る在庫管理システムを示す構成図である。
【図２】物品タグに記録されているデータの概念図である。
【図３】無線タグに記憶されている物品情報の概念図である。
【図４】データベースの概念図である。
【図５】物品を入庫する状況を示す説明図である。
【図６】物品入庫処理を示すフロー図である。
【図７】物品を出庫する状況を示す説明図である。
【図８】物品出庫処理を示すフロー図である。
【図９】在庫管理処理を示すフロー図である。
【図１０】レコード更新処理を示すフロー図である。
【図１１】実施例２に係る移動端末を示す斜視図である。
【図１２】実施例３に係る在庫管理システムを示す構成図である。
【符号の説明】
【００６８】
１０ａ〜１０ｆ                格納容器
１１ａ〜１１ｆ                無線タグ
２０                      物品
２１                      物品タグ
３０Ａ                    第１保管空間
３０Ｂ                    第２保管空間
３１，３１Ａ，３１Ｂ      無線通信機
３２                      アンテナ切替器
３２Ａ，３２Ｂ，４６      アンテナ
４１                      情報処理装置
４２                      データベース
４３                      無線タグ用リーダ／ライタ
４４                      物品タグ用リーダ
４５                      無線通信端末
４７                      キーボード
４８                      表示装置
５０                      ネットワーク
６０                      台車
１００，２００            無線在庫管理システム
Ｅ１，Ｅ２                無線通信エリア
【図１】
2005082324.tif 000003
【図２】
2005082324.tif 000004
【図３】
2005082324.tif 000005
【図４】
2005082324.tif 000006
【図５】
2005082324.tif 000007
【図６】
2005082324.tif 000008
【図７】
2005082324.tif 000009
【図８】
2005082324.tif 000010
【図９】
2005082324.tif 000011
【図１０】
2005082324.tif 000012
【図１１】
2005082324.tif 000013
【図１２】
2005082324.tif 000014